(57)【要約】      （修正有）【課題】在宅の血液分析するために、簡便な方法で血漿成分を抽出する必要がある。遠心分離による成分抽出方法があるが、採血した血液を大気中に暴露すると、血液凝固を起こして血餅を作ったり、血液中の水分が蒸発して正確に血液成分を分析できないという問題があった。【解決手段】遠心力により比重に応じて成分を分離するバイオセンサであって、血漿または血清成分より比重の小さい密閉ゲルを予めバイオセンサの内部に充填しておく。血液をバイオセンサに吸い上げて、分析装置の回転台に取り付けて、回転して遠心力を加える。分離空洞では、比重に応じて成分が分離され、比重の大きい血球成分、血漿成分、密閉ゲルの順に整列する。密閉ゲルによって開放端を塞ぐことができ、血液が大気に触れることはなく、血液中の水分蒸発を防ぐ。【選択図】図１
2006119127.tif 000002
【特許請求の範囲】
【請求項１】
遠心力によって比重に応じて成分を分離する分離空洞を備えたバイオセンサであって、
血漿成分または血清成分より比重の小さい密閉ゲルを流路または前記分離空洞に予め充填しておき、遠心力を加えると、前記密閉ゲルによって血液の出入り口である開放端が塞がれることを特徴とするバイオセンサ。
【請求項２】
毛細管現象により血液を吸い上げて、一時的に貯める吸引空洞を備え、該吸引空洞に貯められた血液が遠心力によって前記分離空洞に導かれることを特徴とする請求項１に記載のバイオセンサ。
【請求項３】
前記密閉ゲルは、血液に対して不溶性または不揮発性であることを特徴とする請求項１または請求項２に記載のバイオセンサ。
【発明の詳細な説明】
【技術分野】
【０００１】
本発明は、遠心力により血液を分離した後に、血液中の特定成分を分析するバイオセンサに関する。
【背景技術】
【０００２】
近年、ライフスタイルの変化により高血圧、糖尿病、高脂血症患者が増えてきた。これらは生活習慣病と呼ばれ、動脈硬化の危険因子である。国や自治体では、生活習慣を修正して、脳卒中死亡率、虚血性心疾患死亡率、総循環器疾患死亡率を低下させることを目指している。しかしながら、患者自身は、健康診断によりこれらの疾病が見つかったとしても、自覚症状がないために治療を怠り、病状を悪化させてしまうことが少なくない。
【０００３】
生活習慣病では生活管理が重要な治療方法であり、医師、看護師、薬剤師などの医療従事者は、治療のためのさまざまな指導も行っている。しかし、実際には日常生活での忙しさや怠慢で、これを十分に自己管理できないことが多い。さらに、医療従事者が患者の日常生活の中で、実際に指導内容を実施しているかを確認することは、極めて困難であり不可能である。このような背景から、患者は本人の強い意志で、薬物療法、食事療法、運動療法を継続して実践していく必要がある。そのために、医療機関で行われる検査に加えて、在宅でも自らの手で病態を把握することは有効であると期待されている。なぜならば、患者自身が検査して、得られた検査結果から生活習慣の改善点と今後の課題の振り返りをしたり、治療の目標を達成したときに充実感を感じて、自己管理行動が強化されるからである。そしてこのことが、治療意識の維持や向上に繋げることができ、生活習慣病の治療と予防に大きな成果があると期待されている。そこで、患者が自ら在宅で検査を行えるように、在宅用の検査機器の開発が盛んに行われている。
【０００４】
臨床診断分野の血液検査では、採血した血液から血液中の特定成分を分析することによって、被検者の疾病状態や治療回復状態などを把握している。検査対象としては、採血した血液を成分別に分離し、被分析物を含んでいる一方の試料だけを分析するのが普通である。血液の生化学検査の項目では、血清成分を対象とすることが多い。新鮮な血液を放置すると血液凝固が起こるので、30分以上放置して十分に凝固させて血餅を作ってから、血球成分と血液凝固因子を除いた血清成分を抽出して測定されることが多い。この分離には比重差を利用した遠心分離で行うのが普通である。全血検体を試験管や採血管などに入れて、室温で30分以上放置した後に、遠心力によって血球成分と血液凝固因子を沈殿させて、上清みの血清を得る方法である。このときに、凝固促進剤を用いることもある。また、採血した血液にヘパリンなど抗凝固剤と混ぜてから、遠心分離を行うことによって、血清成分にはないフィブリノーゲンなどを含む血漿成分を抽出することもある。
【０００５】
この分離操作を容易にする目的で、分離すべき両成分の中間の比重を有する血液分離剤が、特に遠心分離において利用されている。このような血液分離剤の存在下で血液を両成分に遠心分離すると、比重差により血液分離剤が両成分の間に位置して、両成分を隔てる隔壁となるため、上清みである血清成分または血漿成分を、容易に下層の沈降成分から完全分離することができる。そのため、血液サンプルとして必要な成分の方だけを完全に取り出して、正確に検査することができ検査精度が向上する。
【０００６】
この血液分離を行う血液分離管としては、採取した血液を他の管に移す手間とその際の血液ロスをなくすことができることから、採血管がそのまま使用されることが多い。採血管は密栓できる試験管であって、採血管の内部に少量の血液分離剤が予め充填されている。
【０００７】
この血液分離剤はゲル状であり、血漿と血球成分の中間比重1.038〜1.052、形状維持できる動粘度3000〜6000mm2/sであって、採血管などの容器に充填できる。このゲル状血液分離剤は、例えば比重0.87のポリブテンを主材料の疎水性液状樹脂として、粘着性付与剤と、比重調整用の無機充填材と、チキソトロピー性付与剤を配合してゲルを調製している。
【０００８】
特許文献１によれば、内部が減圧された真空採血管が開示されている。採血方法は、まず採血器具に取り付けられた採血針を血管に穿刺する。次に、採血針の後端に形成されている穿刺針を、天然ゴムでできたシール性部材に刺して、穿刺針を真空採血管の内部に挿入する。そうすると、血液が真空採血管に流入する。採血が完了したら、採血器具を採血管から取り外す。シール性部材は穿刺孔を密封して、採血管内部の気密性を保持する機能が備えられている。つまり、自動分析装置などに運ばれるまで時間、採取した血液を大気に曝露されることなく、気密性を保持して輸送することができる。
【０００９】
在宅検査に使用される検査機器の代表例としては、血液中のグルコース濃度（血糖値）を測定する自己血糖測定機がある。現在広く用いられている自己血糖測定機は、被検者自身が指先や腕に穿刺針を刺して、出血した少量の血液サンプルを利用するものである。  
【００１０】
血糖値とは正確に言えば、血清中のグルコース濃度のことである。最も一般的なグルコース濃度の計測法は、酵素電極を用いた方法であるが、全血をバイオセンサに供給して測定している。
【００１１】
バイオセンサ内部の酵素反応槽では、血球を溶血させることなく、血清中のグルコース濃度に応じた電流をアンペロメトリ法で測定している。つまり、この場合には血球成分を分離せずに、血清中の特定成分の濃度を測定しているが、前述したように一般的には、血球成分と血液凝固成分を分離して、血清成分のみを抽出してから分析することが多い。在宅での検査項目を血糖値だけでなく拡大するためには、血清または血漿成分の抽出技術は欠かせない。
【特許文献１】特開平６−１８９９４４号公報（第３−５頁、第１図）
【発明の開示】
【発明が解決しようとする課題】
【００１２】
生活習慣病の治療を支援するために、在宅の血液分析機器が開発されている。在宅で患者が自らが採血できる方法は、指先や腕を穿刺して微量な血液を得る方法に限られ、得られる血液は50マイクロリットル以下である。また、医療現場ではよく用いられる血液を真空採血管に挿入して、遠心分離後に上清みを抽出する方法では、少なくとも２ミリリットルの血液量を必要とする。つまり、真空採血管により血液成分を分離する方法は、在宅の血液分析機器には応用できないという問題があった。
【００１３】
また、自己血糖測定機の場合には、全血をバイオセンサに供給して、血清中のグルコース濃度を測定できる。しかし、グルコース濃度以外の項目を検査する場合には、血球を溶血させることなく検査することは、一般的に不可能である。
【００１４】
そこで、自己血糖測定機のバイオセンサのように、微量の血液（全血）を吸い上げて、遠心分離によって血球成分を分離して、血清または血漿成分を抽出する方法が考えられる。この遠心分離の条件は、回転速度を3000min-1以上で、5分間、遠心分離機で回転させることがよくある。このとき、採血した血液がバイオセンサに吸い上げられているとしても、大気中に暴露されていると、血液凝固を起こして血餅を作り正確に分析できない、または、血液中の水分が蒸発して正確に濃度測定できないという問題があった。
【課題を解決するための手段】
【００１５】
そこで、本発明のバイオセンサは、以下に示す構成を採用する。
すなわち、本発明のバイオセンサは、遠心力によって比重に応じて成分を分離する分離空洞を備えたバイオセンサであって、血漿成分または血清成分より比重の小さい密閉ゲルを流路または分離空洞に予め充填しておき、遠心力を加えると、密閉ゲルによって血液の出入り口である開放端が塞がれることを特徴とする。
【００１６】
また、本発明のバイオセンサは、毛細管現象により血液を吸い上げて、一時的に貯める吸引空洞を備え、吸引空洞に貯められた血液が遠心力によって分離空洞に導かれることが好ましい。
【００１７】
さらに、本発明のバイオセンサは、密閉ゲルは、血液に対して不溶性または不揮発性であることがより好ましい。
【００１８】
（作用）
バイオセンサは血液を吸引空洞に吸い上げる。バイオセンサを分析装置の回転台に取り付けて、バイオセンサを回転して遠心力を加える。分離空洞では、比重に応じて成分別に分離される。バイオセンサ内部には、予め密閉ゲルが充填されているので、比重の大きい血球成分、血漿成分、密閉ゲルの順に整列する。血液が大気に触れないように、密閉ゲルによって開放端が塞がれる。
【発明の効果】
【００１９】
本発明のバイオセンサは、指先や腕に穿刺針を刺して、出血した少量の血液を採取した直後に、遠心分離によって成分別に分離して、被分析物を含んでいる一方の試料を分析する。この遠心分離のときに、高速回転で長時間遠心分離させていても、採取した血液は大気に触れることはなく、密閉ゲルによって開放端が塞がれる。そのことによって、血液中の水分は蒸発することがないので、分析対象となる血液濃度の変化を抑えることができる。そして、在宅で使用する簡易的な分析機器であっても、正確に分析できるバイオセンサを提供することができる。
また、グルコースなどの分析対象物質からグルコースオキシダ−ゼなどの酸化酵素によって、過酸化水素を生成させて、色素前駆体と過酸化水素との反応が起こり、生成した色素を光学的に定量することによって、特定の分析対象物質を測定する方法がある。このように生成した色素の中には、空気中の酸素または反応液中の溶存酸素によって、分解する不安定な化合物である場合がある。
また、分析対象物質を酸化酵素によって酸化反応を起こさせ、それに伴い生じた電子メディエーターの還元体を、電極で酸化するときの電気化学応答から分析対象物質の量を求める方法がある。この際、酵素反応を一定時間行い、その間の電子メディエーターの還元体を蓄積し、一定時間後に蓄積された電子メディエーターの還元体を電極で酸化して、大きな電気化学的応答をさせることによって、分析対象物質を高感度に測定する方法がある。しかしながら、空気中の酸素または反応液中の溶存酸素による酸化反応の影響を受け、測定に誤差を与えていた場合がある。
【００２０】
しかしながら本発明では、遠心力を加えることによって血液が移動した直後から、血液は空気中の酸素に触れることがないように、密閉ゲルによって開放端が塞がれる。そのことによって、血液の移動直後から始まる、分析対象物質の測定のための酸化／還元反応を正確に測定することができる。
【００２１】
さらに、採取した血液は大気に触れることはなく、密閉ゲルによって開放端が塞がれることによって、採取した血液を凝固させずに、血漿成分を分析することが可能になった。
つまり、血液に抗凝固剤を混ぜなくても、凝固させずに血漿成分を分析できるのある。このことによって、血漿成分に含まれる血液凝固因子も分析できるようになった。従来の血漿成分の分析では、採取した血液に抗凝固剤を混ぜてから、遠心分離していたために、抽出された血漿成分には抗凝固剤を含んでしまっていた。さらに、混ぜる抗凝固剤の種類は、分析対象の項目や分析方法によって使い分ける必要があったが、その抗凝固剤の選択に関する煩わしさもなくなった。
【００２２】
また、採血した血液を大気中にしばらく放置した後に、遠心分離して血清成分を抽出して血清成分を分析することもできる。勿論、血液凝固促進剤を加えて遠心分離することによって、凝固因子を確実に取り除いた血清成分の分析もできる。
【００２３】
また、予めバイオセンサの分離空洞または流路に密閉ゲルを充填しているので、在宅検査で使用するときには、血液凝固を防止するための特別な試薬や、水分蒸発を防止するための特別な操作を必要としない。つまり、抗凝固剤を添加したり、密閉キャップを閉める必要はなく、検査のための操作を簡便化することができる。勿論、遠心分離した後に、抽出した成分を別の容器に移す必要がなく、検査装置も単純な遠心機能を備えるだけでよいので、在宅の使用に適したシステムを提供することができる。
【発明を実施するための最良の形態】
【００２４】
（実施例１）
図２は、本発明のバイオセンサの一実施例を示す外観図である。バイオセンサ１は、下板２０、電極基板１０を貼り合わせた構造になっている。バイオセンサ１の一方の側面には吸引口２１があり、他方の側面には空気口２２がある。その吸引口２１と空気口２２の間には、下板２０と電極基板１０に挟まれた部分に隙間が設けられている。この隙間は吸引空洞２３であり、血液を吸い上げて一時的に貯める空間である。血液は吸引口２１から毛細管現象により吸い上げられ、吸引空洞２３を満たす。空気口２２からは吸引空洞２３にあった空気が抜け出るようになっている。バイオセンサ１の裏面にはコネクタ窓２６があり、コネクタ窓２６の奥には図示していないが、コネクタ端子１２が配置されている。コネクタ端子１２は、分析装置と電気的に接続して電気化学的測定を行うために、電極基板１０に設けられた接点用の金属端子である。
【００２５】
図３は、バイオセンサ１の分解斜視図である。下板２０は透明プラスチックであり、吸引空洞２３、分離空洞２４および流路２５の血液運搬用の溝が掘られている。吸引空洞２３には血液４が吸い上げられた状態を示している。分離空洞２４は下板２０に掘られた溝と電極基板１０に挟まれた空間であり、上下面と側面を塞がれ、流路２５からのみ血液４及び密閉ゲル３を流し込む開放端を備えた構造になっている。流路２５には、密閉ゲル３が充填してある。血液４は遠心力によって吸引空洞２３から流路２５を通って、分離空洞２４に導かれ、密閉ゲル３も分離空洞２４に導かれる。このとき、分離空洞２４にあった空気は開放端を通って分離空洞２４の外側に押し出される。さらに、裏面からコネクタ端子１２と電気的に接続するためにコネクタ窓２６があけられている。電極基板１０は、例えばポリイミドフィルムのＦＰＣであり、コネクタ窓２６の上面位置にコネクタ端子１２と、分離空洞２４の上面位置に電気化学測定のための電極が配置されている。作用極と対極は金電極であり、作用極の表面には酸化還元酵素と電子メディエータを含む酵素反応層が形成されている。参照極は銀−塩化銀電極である。例えば、グルコースのバイオセンサの場合には、酸化還元酵素にはグルコースオキシダーゼが、また電子メディエータにはフェリシアン化カリウムなどがそれぞれ用いられる。
【００２６】
次に、図２及び図３を用いて、穿刺で得られた血液を吸引してから、遠心機能が付いている分析装置２で分析するまでのバイオセンサ１の動作について説明する。まず、採血部位である指先に穿刺針を刺して、分析に必要な血液量以上の血液を出す。分析に必要な血
液量は例えば約10μＬであり、この必要な血液量を吸い上げるために、吸引空洞２３の容積はこの必要な血液量と同量になっている。そして、血液（全血）をバイオセンサ１の吸引口２１に接触させる。血液４は毛細管現象によって吸引されて、吸引口２１から空気口２２までの吸引空洞２３を満たす。このとき、流路２５および分離空洞２４によって形成される空間は、閉じた空間になっている。そのために、流路２５および分離空洞２４の内部の空気は抜け出ない構造になり、血液４は流路２５の方向には流れ込まない。なお、吸引された血液４は、透明プラスチックの下板２０の裏面から確認することができる。もしも、血液を十分に吸引できず吸引空洞２３を満たしていない場合には、再度、指先の穿刺部位から血液を出して、吸引口２１から追加して吸上げる。
【００２７】
次に、図４を用いて、バイオセンサ１を取り付ける遠心機能付きの分析装置２の構造について簡単に説明する。ただし、図４は分析装置２の遠心機構部の概略構造だけを示すものであり、電気化学測定部、表示部及び操作スイッチ部などは省略している。分析装置２の遠心機構部は、回転台３０、モーター３１、コネクタバネ３２から構成されている。回転台３０は、バイオセンサ１を取り付けて、高速で回転する取り付け台である。モーター３１は、回転台３０及びバイオセンサ１を回転させるための駆動モーターであり、例えばステッピングモーターが使用されている。ステッピングモーターは、回転速度を一定に制御する他に、徐々に回転速度を上げることや下げることができる、さらに停止位置を制御することも可能である。コネクタバネ３２は、バイオセンサ１のコネクタ端子１２と、分析装置の電気化学測定部とを電気的に接続する接点である。ここで、バイオセンサ１で分析するときには、遠心機能付きの分析装置２の回転台３０に、吸引空洞２３が回転中心側、分離空洞２４が回転外周側となるように取り付ける。分析装置２の操作スイッチを押すと、回転台３０が回転を始める。回転速度は徐々に上がり、最高回転速度は例えば3000min-1で、５分間継続する。回転中心から分離空洞２４の先端までの回転半径が10cmの場合には、分離空洞２４の先端での遠心力は、重力のおよそ1000倍になる。
【００２８】
図１はバイオセンサ１で遠心分離した状態を示す分解斜視図である。図３及び図１を用いて、バイオセンサ１の内部空洞にある血液４及び密閉ゲル３の移動過程について説明する。まず、血液４を採取して遠心力を加える前の状態では、図３に示すように密閉ゲル３は流路２５にあり、血液４は吸引空洞２３を満たしている。その後、バイオセンサ１を取り付けた回転台３０を回転させて、遠心力を加える。そうすると、吸引空洞２３にある血液４は、遠心力によって流路２５を通って分離空洞２４に導かれる。そして、流路２５に充填されていた密閉ゲル３も分離空洞２４に移動する。血液４は比重によって血球成分４１と血漿成分４２に遠心分離を始める。血漿成分４２の比重は血球成分４１に比べて小さく、また密閉ゲル３の比重は血漿成分４２よりも小さい。そこで、分離空洞２４では回転半径の遠い方から、血球成分４１、血漿成分４２、密閉ゲル３の順番に移動する。この回転時間は約10秒程度でもほぼこの順に整列する。つまり、採取した血液（血球成分４１と血漿成分４２）は大気に触れないように、流路２５との出入り口である開放端を、密閉ゲル３によって塞いだ状態となる。そのことによって、血液中の水分は蒸発することがなくなり、また血液凝固することもない。さらに、血漿成分４２は空気中の酸素に触れることがないように密閉ゲル３によって塞がれるので、空気中の酸素による酸化反応は起こらない。なお、酵素反応層１１は、分離空洞２４の血漿成分４２が抽出される位置に配置されている。また、本実施例では、密閉ゲル３は流路２５に予め充填して密着させていたが、遠心力を加えた後に充填位置から剥がれて移動できればよいのである。そこで、分離空洞２４の奥の位置に、予め密閉ゲル３を充填しておき、血液４が充填位置に移動してくることによって、密閉ゲル３を血液４に浮上させることによって移動させてもよい。
【００２９】
次に図４及び図１を用いて、分析装置２の動作について説明する。回転台３０の回転運動は、約10秒間で血液４は分離空洞２４に移動して、血球成分４１と血漿成分４２にほぼ分離できる。さらに継続して回転台３０を５分間回転させると、血球成分４１と血漿成分
４２の分離精度は向上する。遠心分離のための回転が終ると、バイオセンサ１を取り付けた回転台３０は停止位置に止まるように制御される。分析装置２のコネクタバネ３２は、バイオセンサ１のコネクタ端子１２に接続する。そして、酵素反応層１１では酵素反応が起こり、バイオセンサ１の電気化学測定が行われる。
【００３０】
ここで、密閉ゲル３の特性は、血漿成分４２の比重よりも小さいことは前述した通りである。密閉ゲル３の好ましい特性としては、密閉ゲル３が血液に対して不溶性であることが挙げられる。密閉ゲル３の成分が血液中に溶け出してしまったのでは、正確に血液中の成分を分析することはしにくくなる。また、血液に対して化学反応を起こさないことも好ましい特性として挙げられる。密閉ゲル３が血液に対して化学反応を起こしたり、電気化学測定のときに阻害反応を起こしてしまったのでは、正確に血液中の成分を分析することはしにくくなる。さらに、密閉ゲル３は不揮発性であることも、好ましい特性のひとつである。密閉ゲル３の揮発性が高くては、遠心分離の５分間の回転途中で、密閉ゲル３がなくなり、流路２５との出入り口である開放端を塞げなくなる。このような状態になってしまうと、血液中の水分は蒸発することになり、また血液凝固することになる。さらに、空気中の酸素に触れることによって、測定原理に起因しない酸化反応が起こり、正確な測定の妨げとなる。ここまで揮発性が高くなくても、バイオセンサ１の内部に、密閉ゲル３を予め充填して保管されるので、保管の途中で密閉ゲル３が揮発してなくなってしまったのでは、密閉ゲルとしての機能を果たさないので、好ましくは不揮発性であることが挙げられるのである。
【００３１】
（実施例２）
図５及び図６は、本発明のバイオセンサの他の実施例を示す模式図であり、図５は遠心分離前、図６は遠心分離後の模式図である。なお、電極基板１０を図示せずに下板２０の上面図を示した。ここに示した吸引空洞２３、流路２５、分離空洞２４、密閉ゲル３、血球成分４１、血漿成分４２は、図１に示したものと同一機能を有している。図５の遠心分離前の状態を示す模式図を用いて説明する。分離ゲル４３は血球成分４１と血漿成分４２の両成分を隔てる分離するためのゲルであり、血漿と血球成分の中間比重1.038〜1.052であり、例えば1.045である。なお、分離ゲル４３は、バイオセンサ１の製造工程で、予め分離空洞２４に充填されている。そして、血液４を採取すると、その血液４が吸引空洞２３を満たす。なお、密閉ゲル３は、分離空洞２４に充填した模式図を示したが、実施例１と同様に流路２５に充填してもよい。
【００３２】
図６は遠心分離後の状態を示す模式図を用いて説明する。分析装置２の回転台３０にバイオセンサ１を取り付けて回転すると、吸引空洞２３にある血液４は、遠心力によって流路２５を通って分離空洞２４に導かれる。血液４が流れ込むと、分離空洞２４に充填されていた密閉ゲル３および分離ゲル４３は浮上する。そして、比重によって分離され、回転半径の遠い方から、血球成分４１、分離ゲル４３、血漿成分４２、密閉ゲル３の順に整列する。
【００３３】
以上の実施例では、血漿成分を抽出して分析するバイオセンサを示したが、血漿成分に限るものではない。血球成分と血液凝固成分を沈殿させて分離して、血清成分のみを抽出してから分析するバイオセンサに応用することも可能である。この場合には、凝固促進剤をバイオセンサの内部に予め挿入してもよい。
【００３４】
以上のように、バイオセンサ１の内部に、血漿成分または血清成分より比重の小さい密閉ゲル３を予め充填しておく。バイオセンサ１の吸引空洞２３に血液４を採取した後に、遠心機構部の回転台３０にバイオセンサ１を取り付けて遠心分離をする。そうすると、分離空洞２４では回転半径の遠い方から、血球成分４１、（分離ゲル４３）、血漿成分４２、密閉ゲル３の順番に移動する。つまり、採取した血液４は大気に触れないように、密閉
ゲル３によって、血液４または血球成分４１及び血漿成分４２の出入り口である開放端が塞がれる。
【産業上の利用可能性】
【００３５】
少量の血液を採取して、血液を遠心力により分離した後に、被分析物を含んでいる一方の試料を分析対象とするバイオセンサに適用できる。特に、採取した血液を大気に触れると、正確に分析できなくなる分析対象の場合には、信頼性の高い分析を可能とする。また、医療施設ではなく在宅検査の場合には、簡便な分析システムを提供することができる。
【図面の簡単な説明】
【００３６】
【図１】本発明のバイオセンサで遠心分離した状態を示す分解斜視図である。
【図２】本発明のバイオセンサを斜め上方と下方から見た外観図である。
【図３】本発明のバイオセンサの分解斜視図である。
【図４】本発明のバイオセンサを取り付けた遠心機構部の概略構造図である。
【図５】本発明のバイオセンサの遠心分離前の模式図である。
【図６】本発明のバイオセンサの遠心分離後の模式図である。
【符号の説明】
【００３７】
１  バイオセンサ
２  分析装置
３  密閉ゲル
４  血液
１０  電極基板
１１  酵素反応層
１２  コネクタ端子
２０  下板
２１  吸引口
２３  吸引空洞
２４  分離空洞
３０  回転台
４１  血球成分
４２  血漿成分
４３  分離ゲル
【図１】
2006119127.tif 000003
【図２】
2006119127.tif 000004
【図３】
2006119127.tif 000005
【図４】
2006119127.tif 000006
【図５】
2006119127.tif 000007
【図６】
2006119127.tif 000008